(57)【要約】【課題】液栓を注液孔に対して仮位置決めした状態でセルケースの内部を減圧する。【解決手段】単電池は、内部に発電要素及び電解液が収容されて形成される。そして、蓋体６８には、単電池内に電解液を注液するための注液孔６６が設けられている。注液孔６６は、電解液を注液後、液栓７０によって封止される。この際、液栓７０は、注液孔６６に対してまず仮位置決めされ、仮位置決めされた後に注液孔６６に押し込まれて注液孔６６を封止する。液栓７０には、注液孔６６に対して仮位置決めされた状態で、蓋体６８及びケースの内部と外部とを連通させる溝７８が設けられおり、そのため、この溝を介して、液栓７０が注液孔６６に対して仮位置決めされた状態で、単電池内を減圧することができる。【選択図】図４
2014002865.tif 000002
【特許請求の範囲】
【請求項１】
発電要素及び電解液を収容するとともに、前記電解液を注液するための注液孔を有するセルケースと、前記注液孔を封止する液栓と、を備える外装容器であって、
前記液栓は、前記注液孔に対して仮位置決めされた後に前記注液孔に装着されて前記注液孔を封止し、
前記液栓には、前記液栓が前記注液孔に対して仮位置決めされた状態で、前記セルケースの内部と外部とを連通させる連通路が設けられている、外装容器。
【請求項２】
請求項１に記載の外装容器であって、
前記液栓は、前記注液孔に挿入されて前記注液孔と接触するとともに前記連通路が設けられた挿入部と、前記挿入部が挿入された後に前記注液孔に装着されて前記注液孔を封止する封止部と、を備え、
前記挿入部が前記注液孔と接触することで、前記液栓が前記注液孔に対して仮位置決めされる、外装容器。
【請求項３】
請求項２に記載の外装容器であって、
前記挿入部が前記注液孔に対して仮位置決めされた状態で、前記連通路の上端が前記セルケースの外部に位置する、外装容器。
【請求項４】
請求項２または請求項３に記載の外装容器であって、
前記挿入部及び前記封止部は、同心の円柱形状を有し、前記注液孔は、円筒形状を有し、
前記挿入部は、前記封止部よりも小径の導入部と、前記導入部よりも大径であるとともに前記封止部よりも小径であり、前記導入部と前記封止部とを接続するテーパ形状の接続部を有し、
前記挿入部は、前記接続部において前記注液孔と接触し、
前記連通路は、前記導入部及び前記接続部に亘って形成される、外装容器。
【請求項５】
請求項２ないし請求項４のいずれか一項に記載の外装容器であって、
前記液栓は、前記注入孔を覆う蓋部を更に備え、
前記蓋部は、前記封止部が前記注液孔に装着されることで前記注入孔を覆う状態で前記セルケースに固着される、外装容器。
【請求項６】
請求項２ないし請求項５のいずれか一項に記載の外装容器であって、
前記連通路は、前記挿入部の一方の側面から当該側面に対向する他方の側面へと貫通する溝である、外装容器。
【請求項７】
発電要素及び電解液を収容するとともに、前記電解液を注液するための注液孔を有するセルケースと、前記注液孔を封止する液栓と、を備える外装容器であって、
前記液栓は、前記注液孔を封止する封止部と、前記注液孔又はセルケースの少なくとも一方の内部に挿入された挿入部と、
を備え、
前記挿入部は、その断面の外周が前記注液孔を封止した状態の前記封止部の断面の外周と同等となる拡張部を有し、前記拡張部よりも前記封止部側にまで伸びる連通路が設けられている、外装容器。
【請求項８】
発電要素と、
電解液と、
請求項１ないし請求項７のいずれか一項に記載の外装容器と、
を備える、蓄電素子。
【請求項９】
蓄電素子の製造方法であって、
セルケースに設けられた注液孔に液栓の挿入部を挿入し、前記挿入部を前記注液孔と接触させて前記液栓を前記注液孔に対して仮位置決めする仮位置決め工程と、
前記仮位置決め工程後、前記挿入部と前記注液孔との間に設けられた隙間を介して、前記セルケースの内部を減圧する減圧工程と、
前記減圧工程後、前記液栓の封止部で前記注液孔を封止する封止工程と、
を備える蓄電素子の製造方法。
【請求項１０】
蓄電素子のセルケースに設けられた注液孔を封止する蓄電素子用液栓であって、
前記液栓は、前記注液孔に挿入されるとともに前記注液孔と接触する挿入部を備え、
前記挿入部には連通路が設けられている、蓄電素子用液栓。
【発明の詳細な説明】
【技術分野】
【０００１】
本発明は、蓄電素子用液栓の構造に関する。
【背景技術】
【０００２】
従来から、二次電池などの蓄電素子が用いられている。蓄電素子は、アルミニウム等の金属製の電池ケースに、発電要素と電解液が収容されてなる（例えば、特許文献１）。電池ケースには、電解液を注入するための注液孔が設けられ、注液孔には電解液が外部に漏れるのを防止するための封止部材が装着される。従来技術では、充放電を繰り返す過程において電池ケース内にガスが発生し、電池ケースの内圧の上昇に伴って電池ケースが膨らむのを抑制するため、電解液の注入後、電池ケースの内部を減圧してから封止部材を位置あわせし、装着する内容が開示されている。
【先行技術文献】
【特許文献】
【０００３】
【特許文献１】特開２００１−２５６９６５号公報
【発明の概要】
【発明が解決しようとする課題】
【０００４】
しかし、電池ケースなどのセルケースの内部を減圧してから封止部材である液栓を注液孔に対して位置あわせなどの仮位置決めする場合、以下の問題が生じていた。例えば、大気中において液栓を装着する場合、セルケース内を減圧後、液栓を注液孔に対して仮位置決めするまでにセルケース内の圧力が大気圧にまで上昇してしまい、セルケース内を減圧することができない問題が生じていた。また、従来技術のように、減圧したチャンバー内において液栓を装着する場合、チャンバー内では人の手によって液栓を操作することが難しい。従って、液栓を注液孔に対して仮位置決めするために、チャンバー内に、注液孔の位置を確認する機構や、ロボットアーム等を操作して液栓を注液孔にまで移動させる機構等を用意する必要があり、チャンバーが大型化してしまう問題が生じていた。
【０００５】
本発明は、液栓を注液孔に対して仮位置決めした状態でセルケースの内部を減圧する技術に関する。
【課題を解決するための手段】
【０００６】
本明細書によって開示される外装容器は、発電要素及び電解液を収容するとともに、前記電解液を注液するための注液孔を有するセルケースと、前記注液孔を封止する液栓と、を備える外装容器であって、前記液栓は、前記注液孔に対して仮位置決めされた後に前記注液孔に装着されて前記注液孔を封止し、前記液栓には、前記液栓が前記注液孔に対して仮位置決めされた状態で、前記セルケースの内部と外部とを連通させる連通路が設けられている。
【０００７】
上記の外装容器では、前記液栓は、前記注液孔に挿入されて前記注液孔と接触するとともに前記連通路が設けられた挿入部と、前記挿入部が挿入された後に前記注液孔に装着されて前記注液孔を封止する封止部と、を備え、前記挿入部が前記注液孔と接触することで、前記液栓が前記注液孔に対して仮位置決めされる構成としてもよい。
【０００８】
上記の外装容器では、前記挿入部が前記注液孔に対して仮位置決めされた状態で、前記連通路の上端が前記セルケースの外部に位置する構成としてもよい。
【０００９】
上記の外装容器では、前記挿入部及び前記封止部は、同心の円柱形状を有し、前記注液孔は、円筒形状を有し、前記挿入部は、前記封止部よりも小径の導入部と、前記導入部よりも大径であるとともに前記封止部よりも小径であり、前記導入部と前記封止部とを接続するテーパ形状の接続部を有し、前記挿入部は、前記接続部において前記注液孔と接触し、前記連通路は、前記導入部及び前記接続部に亘って形成される構成としてもよい。
【００１０】
上記の外装容器では、前記液栓は、前記注入孔を覆う蓋部を更に備え、前記蓋部は、前記封止部が前記注液孔に装着されることで前記注入孔を覆う状態で前記セルケースに固着される構成としてもよい。
【００１１】
上記の外装容器では、前記連通路は、前記挿入部の一方の側面から当該側面に対向する他方の側面へと貫通する溝である構成としてもよい。
【００１２】
上記の外装容器では、発電要素及び電解液を収容するとともに、前記電解液を注液するための注液孔を有するセルケースと、前記注液孔を封止する液栓と、を備える外装容器であって、前記液栓は、前記注液孔を封止する封止部と、前記注液孔又はセルケースの少なくとも一方の内部に挿入された挿入部と、を備え、前記挿入部は、その断面の外周が前記注液孔を封止した状態の前記封止部の断面の外周と同等となる拡張部を有し、前記拡張部よりも前記封止部側にまで伸びる連通路が設けられている構成としてもよい。
【００１３】
本発明は、発電要素と、電解液と、上記の外装容器と、を備える蓄電素子にも具現化される。
【００１４】
また、本発明は、上記の外装容器等を用いて実現される蓄電素子の製造方法にも具現化される。本明細書によって開示される蓄電素子の製造方法は、セルケースに設けられた注液孔に液栓の挿入部を挿入し、前記挿入部を前記注液孔と接触させて前記液栓を前記注液孔に対して仮位置決めする仮位置決め工程と、前記仮位置決め工程後、前記挿入部と前記注液孔との間に設けられた隙間を介して、前記セルケースの内部を減圧する減圧工程と、前記減圧工程後、前記液栓の封止部で前記注液孔を封止する封止工程と、を備える。
【００１５】
さらに、本発明は、上記の外装容器等に用いられる蓄電素子用液栓にも具現化される。本明細書によって開示される蓄電素子用液栓は、蓄電素子のセルケースに設けられた注液孔を封止する蓄電素子用液栓であって、前記液栓は、前記注液孔に挿入されるとともに前記注液孔と接触する挿入部を備え、前記挿入部には連通路が設けられている。
【発明の効果】
【００１６】
本発明によれば、液栓を注液孔に対して仮位置決めした状態でセルケースの内部を減圧することができる。
【図面の簡単な説明】
【００１７】
【図１】単電池の展開図
【図２】液栓の斜視図
【図３】封止処理のフローチャート
【図４】仮位置決め状態における液栓の断面図
【図５】製造装置のチャンバーの正面図
【図６】封止状態における液栓の断面図
【図７】封止状態における液栓の断面図
【図８】液栓の溝の形状を示す図
【図９】液栓の斜視図
【図１０】仮位置決め状態における液栓の断面図
【図１１】仮位置決め状態における液栓の断面図
【図１２】仮位置決め状態における液栓の断面図
【発明を実施するための形態】
【００１８】
（本実施形態の概要）
初めに、本実施形態の蓄電素子の概要について説明する。
本蓄電素子は、発電要素と、電解液と、これらを収容する外装容器を備え、外装容器は、電解液を注液するための注液孔を有するセルケースと、注液孔を封止する液栓と、を備える。
【００１９】
そして、液栓には連通路が設けられており、液栓が注液孔に対して仮位置決めされた状態で、連通路を介してセルケースの内部を減圧することができる。そのため、セルケースの内部を減圧した後に液栓を注液孔に仮位置決めする必要がなく、減圧後に仮位置決めすることで発生する種々の問題、例えば仮位置決め中にセルケースの内圧が上昇する問題や、液栓を注液孔に仮位置決めする機構が必要となる問題等を回避することができる。
【００２０】
詳しくは、液栓は、挿入部と封止部を備えており、そのうち挿入部に連通路が設けられる。そのため、連通路が設けられた挿入部により注液孔に対して液栓を仮位置決めした状態で、連通路を介してセルケースの内部を減圧することができる。そして、セルケースの内部を減圧後、連通路が設けられていない封止部により注液孔を封止することができる。
【００２１】
そして、液栓が注液孔に対して仮位置決めされた状態で、連通路の上端がセルケースの外部に達するように設けられる。そのため、液栓が注液孔に対して仮位置決めされた状態で、連通路を介してセルケースの内部と外部とを連通させやすい。
【００２２】
挿入部は、導入部と接続部を備えており、テーパ形状に設けられた接続部を用いて液栓が注液孔に対して仮位置決めされる。そして、液栓が注液孔に対して仮位置決めされた後、テーパ形状の接続部の側面に沿って液栓を注液孔に押し込むことで、封止部を注液孔に装着することができる。
【００２３】
液栓は、更に蓋部を備えており、蓋部は封止部が注液孔に装着されることで注入孔を覆う。そのため、蓋部を用いて注液孔から電解液が外部に漏れるのを防止することができる。
【００２４】
連通路は、溝状に形成される。そのため、溝形成のための公知の手段を用いて液栓に容易に連通路を形成することができる。
【００２５】
注液孔に封止された後、液栓は、封止部が注液孔と等しくなるように変形する。本蓄電素子は、挿入部に拡張部を有し、液栓が注液孔に封止された状態で拡張部が注液孔内部に存在する場合、拡張部が注液孔と等しくなるように変形する。また、液栓が注液孔に封止された状態で拡張部が注液孔を貫通して外装容器の内部に至っている場合には、拡張部の変形が戻り、拡張部が注液孔よりも大きくなっているか、拡張部の変形が維持され、拡張部が注液孔と等しい形状となる。つまり、拡張部は、注液孔に液栓が封止された状態において、その断面の外周が、封止部の断面の外周と同等となる。
【００２６】
本蓄電素子では、挿入部に拡張部を有し、液栓の挿入部が注液孔に挿入された場合に、拡張部が注液孔と接触し、液栓が仮位置決めされる。そして、拡張部よりも封止部側に伸びる連通路が設けられており、拡張部により液栓が仮位置決めされた状態で、連通路を介してセルケースの内部を減圧することができる。そのため、セルケースの内部を減圧した後に液栓を注液孔に仮位置決めする必要がなく、減圧後に仮位置決めすることで発生する種々の問題を回避することができる。
【００２７】
そして、本蓄電素子を製造する際には、液栓を注液孔に対して仮位置決めした状態において、挿入部と注液孔との間に隙間を設けておき、この隙間を介して蓄電素子の内部を減圧し、封止する。そのため、セルケースの内部を減圧した後に液栓を注液孔に仮位置決めする必要がなく、減圧後に仮位置決めすることで発生する種々の問題を回避することができる。
【００２８】
＜実施形態＞
以下、一実施形態について、図１ないし図６を参照しつつ説明する。
【００２９】
１．単電池の構成
図１は、本実施形態における単電池１４の斜視図である。単電池１４は、繰り返し充放電可能な二次電池であり、より具体的にはリチウムイオン電池である。本実施形態の単電池１４は、その複数個が導電性を有する板部材であるバスバーによってお互いに接続されて例えば電気自動車やハイブリット自動車に搭載され、電気エネルギーで作動する動力源に電力を供給する。単電池１４は、蓄電素子の一例である。
【００３０】
図１に示すように、単電池１４は、電極ユニット２０と、発電要素５０と、クリップ６０と、ケース６２と、液栓７０とを含む。以下、図１における上下方向を単電池１４の上下方向とし、ケース６２の側面のうちの面積の広い側の側面に垂直な方向を単電池１４の前後方向、面積の狭い側の側面に垂直な方向を単電池１４の左右方向として説明する。ケース６２は、セルケースの一例である。
【００３１】
ケース６２は、アルミニウム等の金属製であり、上端が開放された上方開放型に形成されている。ケース６２には、扁平型をなす発電要素５０が収容されるとともに、電解液が充填される。ケース６２の上端開口は、電極ユニット２０を構成する長方形の板部材である蓋体６８によって塞がれる。ケース６２と蓋体６８とが、外装容器の一例である。
【００３２】
電極ユニット２０では、蓋体６８の上面に一対の正極端子２２及び負極端子２４が左右方向に並んで配置されている。また、各電極端子２２、２４に接続され、蓋体６８の下面から下方に向かって伸びる一組の集電体２８Ａ、２８Ｂが設けられている。各集電体２８Ａ、２８Ｂは、それぞれ大きな電流容量が得られるように十分な厚さを有する金属板からなり、正極集電体２８Ａは、例えばアルミニウム合金板からなり、負極集電体２８Ｂは、例えば銅板合金板からなる。
【００３３】
発電要素５０は、正極板５２と負極板５４の間に図示しないセパレータを挟んだ状態で扁平型に巻回した筒形状に構成されている。正極板５２と負極板５４は、巻き解いた状態において、それぞれ巻回方向を長手方向とする帯状をなしている。正極板５２は、帯状をなすアルミニウム箔の表面に正極活物質層が形成されたものであり、その長手方向と直交する方向に延びる一方の縁（つまり、右端）には、正極活物質層が形成されずにアルミニウム箔が露出した正極集電箔５２Ａが形成されている。また、負極板は、帯状をなす銅箔の表面に負極活物質層が形成されたものであり、その長手方向と直交する方向に５４延びる他方の縁（つまり左端）には、負極活物質層が形成されずに銅箔が露出した負極集電箔５４Ａが形成されている。
【００３４】
正極集電箔５２Ａは、発電要素５０の右側に配置され、図１に二点鎖線で示される側面部分において、正極集電体２８Ａに接続される。同様に、負極集電箔５４Ａは、発電要素５０の左側に配置され、図１に二点鎖線で示される側面部分において、負極集電体２８Ｂに接続される。
【００３５】
集電体２８Ａ、２８Ｂと集電箔５２Ａ、５４Ａは、クリップ６０によって挟み込まれた状態で超音波溶接されることで接続される。クリップ６０は、溶接される集電体２８Ａ、２８Ｂ及び集電箔５２Ａ、５４Ａの材質と同等の抵抗値を有する材料からなり、正極側のクリップ６０Ａはアルミニウム合金からなり、負極側のクリップ６０Ｂは銅合金からなる。
【００３６】
発電要素５０は、集電体２８Ａ、２８Ｂに接続された後に、ケース６２に収容される。そして、ケース６２と蓋体６８が溶接されることで、発電要素５０がケース６２内に封止される。蓋体６８の中央部には、ケース６２内に電解液を注液するための円筒状の注液孔６６が設けられている。ケース６２内に発電要素５０が封止された後、注液孔６６を介して電解液がケース６２内に注され、その後、注液孔６６が液栓７０によって封止される。また、蓋体６８の中央部には、ケース６２内の圧力が基準値以上に高くなった場合にケース６２内のガスを放出する非復元型の安全弁６４が設けられている。
【００３７】
２．液栓の形状
図２に、液栓７０の斜視図を示す。液栓７０はアルミニウムからなり、円柱状の本体部７２と、円板状の蓋部７４を備える。本体部７２は、注液孔６６に挿入されて注液孔６６を封止する。また、蓋部７４は、本体部７２が注液孔６６を封止することで、注液孔６６の外表面を覆い、注液孔６６から電解液が漏れ出るのを防止する。
【００３８】
本体部７２と蓋部７４は一体に設けられるとともに同心であり、本体部７２の軸方向（つまり、上下方向）に垂直な断面において、蓋部７４は本体部７２よりも大径に設けられている。蓋部７４の上面７４Ａには、その中心に、窪み７６が設けられている。また、本体部７２の下面７２Ａには、溝７８が設けられている。溝７８は、本体部７２の下端部において、本体部７２の前後方向の側壁を貫通する。溝７８は、連通路の一例である。
【００３９】
図４に、注液孔６６に仮位置決めされた状態における液栓７０の断面図を示す。図４に示すように、本体部７２は、蓋部７４側から封止部８０と、接続部８２と、導入部８４とを含む。封止部８０と接続部８２と導入部８４は、同心の円柱形状をなし、導入部８４の下端部から接続部８２の上端部に至る範囲に、溝７８が形成されている。つまり、接続部８２及び導入部８４の上下方向の全域に亘って、溝７８が形成されている。接続部８２と導入部８４をあわせたものが、挿入部の一例である。
【００４０】
導入部８４は、注液孔６６よりも小径に設けられ、封止部８０は、注液孔６６よりも大径に設けられる。つまり、導入部８４は、封止部８０よりも小径に設けられる。また、接続部８２は、導入部８４と封止部８０を滑らかな曲面で接続しており、封止部８０に接続する上端部から導入部８４に接続する下端部に向かってかけて縮径するテーパ形状を有する。つまり、接続部８２は、導入部８４よりも大径であるとともに、封止部８０よりも小径に設けられる。
【００４１】
すなわち、接続部８２は、下端部において注液孔６６よりも小径となる一方、上端部において注液孔６６よりも大径となり、接続部８２の上下方向における中央部において、注液孔６６と同径となる。そのため、図４に示すように、注液孔６６に液栓７０を挿入して押圧すると、導入部８４が注液孔６６に挿入されるとともに、上下方向における中央部において接続部８２が注液孔６６の外周部６６Ａと接触し、液栓７０が注液孔６６に仮位置決めされる。ここで、「仮位置決め」とは、接続部８２と外周部６６Ａが単に接触している場合に限らず、接触の結果として、微動可能であるが移動不能に固定されている場合をも含む。
【００４２】
上述したように、接続部８２及び導入部８４には、上下方向の全域に亘って溝７８が形成されている。そのため、液栓７０が注液孔６６に対して仮位置決めされた状態において、注液孔６６に挿入されなかった接続部８２の上端部に設けられた溝７８の上端が注液孔６６（つまり、蓋体６８）の外部に露出する（図４の一点鎖線参照）。従って、液栓７０が注液孔６６に対して仮位置決めされた状態において、溝７８を介して、ケース６２の内部と外部が連通する。
【００４３】
３．封止処理
次に、図３ないし図６を参照して、単電池１４を製造する際に実行される注液孔６６の封止処理を説明する。封止処理は、図５に示す製造装置３０を用いて実行される。なお、以下の説明において、製造装置３０を主体として記載された処理では、製造装置３０が行う場合と、製造装置３０を操作する製造者が行う場合の両方を含むものとする。図３に、封止処理のフローチャートを示す。
【００４４】
製造装置３０は、発電要素５０がケース６２内に収容され、注液孔６６を介して電解液がケース６２内に注液されると、封止処理を開始する。以後、発電要素５０及び電解液が収容及び注液されたケース６２を、単電池１４として説明する。封止処理を開始すると、製造装置３０は、注液孔６６に液栓７０の導入部８４及び接続部８２を挿入し、接続部８２を注液孔６６の外周部６６Ａに接触させて、液栓７０を注液孔６６に対して仮位置決めする（Ｓ２、図４参照）。
【００４５】
次に、製造装置３０は、図５に示すように、液栓７０が仮位置決めされた単電池１４をチャンバー３２内に搬入し（Ｓ４）、チャンバー３２内を減圧する（Ｓ６）。上述したように、単電池１４では、液栓７０が注液孔６６に対して仮位置決めされた状態において、溝７８を介してケース６２の内部と外部が連通する。そのため、チャンバー３２内を減圧することで、溝７８を介して単電池１４内が減圧される。
【００４６】
チャンバー３２内には、注液孔６６に仮位置決めされた液栓７０を注液孔６６に押し込むための押込機構３４が設けられている。製造装置３０は、チャンバー３２内が規定圧力まで減圧されると、チャンバー３２内を規定圧力に維持し、押込機構３４を駆動して液栓７０を注液孔６６に押し込む（Ｓ８）。この際、液栓７０の接続部８２のテーパ形状を利用して、液栓７０の封止部８０が注液孔６６に押し込まれる。
【００４７】
図６に示すように、液栓７０の接続部８２の上端部及び封止部８０は、押込機構３４からの押圧によって変形し、この順に注液孔６６に押し込まれる。この結果、封止部８０によって注液孔６６が封止される。また、注液孔６６よりも大径に設けられた蓋部７４によって注液孔６６の外表面が覆われる。
【００４８】
注液孔６６の封止後、製造装置３０はチャンバー３２内の圧力を空気により大気圧にまで戻し、単電池１４をチャンバー３２外に搬出する（Ｓ１０）。製造装置３０は、液栓７０の蓋部７４と蓋体６８とをレーザ等により溶接し（Ｓ１２）、封止処理を終了する。
【００４９】
図６に示すように、封止処理後、液栓７０は、本体部７２の全域が注液孔６６に挿入された状態となる。そのため、液栓７０は、封止部８０と接続部８２の上端部において注液孔６６の内壁と接触する。また、液栓７０では、接続部８２の上端部に至る範囲に溝７８が形成されている。
【００５０】
そのため、単電池１４において、液栓７０の封止後に、液栓７０が封止部８０以外の部分（本実施形態では、接続部８２の上端部であり、以後、接触部分）において注液孔６６の内壁と接触している場合、封止部８０を注液孔６６に挿入するに先だって接触部分を注液孔６６に挿入する際に、液栓７０が注液孔６６に対して仮位置決めされたことが解かる。接触部分は、拡張部の一例である。
【００５１】
そして、その接続部分よりも封止部８０側に至る溝７８が設けられていれば、液栓７０が注液孔６６に対して仮位置決めされた状態において、溝７８を介してケース６２の内部と外部が連通していたことが解かる。
【００５２】
４．本発明の効果
（１）本実施形態の単電池１４では、液栓７０に溝７８が形成されており、液栓７０が注液孔６６に対して仮位置決めされた状態で、溝７８を介してケース６２の内部を減圧することができる。そのため、ケース６２の内部を減圧した後に液栓７０を注液孔６６に仮位置決めする必要がない。そのため、本実施形態のように、チャンバー３２を用いてケース６２の内部を減圧使用とする場合には、チャンバー３２内に別々に単電池１４と液栓７０とを搬入し、ケース６２の内部を減圧した後に、チャンバー３２内においてケース６２の注液孔６６に液栓７０を仮位置決めする必要がない。
【００５３】
チャンバー３２内においてケース６２の注液孔６６に液栓７０を仮位置決めする場合、液栓７０や注液孔６６を識別する機構や、液栓７０を注液孔６６にまで移動させる機構をチャンバー３２内に設ける必要があり、チャンバー３２の内容積が増大してしまう。チャンバー３２の内容積が増大すると、製造装置３０の製造コストが増大するとともに、チャンバー３２内を効率良く減圧することができない問題が生じる。本実施形態では、チャンバー３２内に上記の構成を必要としないので、上記の問題の発生を抑制することができる。
【００５４】
（２）本実施形態の単電池１４では、液栓７０の本体部７２に、注液孔６６を封止するための封止部８０とともに、接続部８２及び導入部８４が設けられている。そして、接続部８２の上端部が注液孔６６よりも大径に設けられることで、接続部８２を用いてケース６２の注液孔６６に液栓７０を仮位置決めすることができる。
【００５５】
（３）そして、液栓７０では、接続部８２の上端部に亘って溝７８が形成されている。そのため、ケース６２の注液孔６６に液栓７０を仮位置決めした状態で、溝７８を介してケース６２の内部と外部を連通することができる。
【００５６】
（４）本実施形態の単電池１４では、液栓７０において、比較的大径な封止部８０と比較的小径な導入部８４を接続するように、接続部８２がテーパ形状に形成されている。そのため、液栓の封止部８０を注液孔６６に押し込む場合に、接続部８２のテーパ形状を利用してスムースに押し込むことができる。
【００５７】
（５）本実施形態の単電池１４では、液栓７０に蓋部７４が設けられている。そのため、注液孔６６を液栓７０の本体部７２を用いて封止した後に、注液孔６６の外表面を液栓の蓋部７４を用いて覆うことで、注液孔６６から電解液が外部に漏れるのを確実に防止することができる。
【００５８】
＜他の実施形態＞
本発明は上記記述及び図面によって説明した実施形態に限定されるものではなく、例えば次のような実施形態も本発明の技術的範囲に含まれる。
（１）上記実施形態では、蓄電素子の一例として二次電池である単電池１４を示したが、これに限らず、蓄電素子は、電気化学現象を伴うキャパシタであってもよい。また、蓄電素子の用途、蓄電素子の電極ユニットの構造等も特に限定されるものではない。
【００５９】
（２）上記実施形態では、単電池１４内を減圧した状態で封止する例を示したが、これに限らず、単電池１４は、減圧された後に更にチャンバー３２内を二酸化炭素などの不活性ガスで充填し、単電池１４内を不活性ガスで充填した状態で封止してもよい。
【００６０】
（３）上記実施形態では、封止処理後、本体部７２の全域が注液孔６６に挿入された状態となる例を示したが、これに限られず、図７に示すように、ケース６２の厚みが薄い場合などでは、液栓７０の接続部８２及び導入部８４が注液孔６６を貫通し、ケース６２の内部に挿入されていてもよい。この場合、液栓７０は、封止部８０において注液孔６６の内壁と接触し、接続部８２の上端部は、注液孔６６を貫通する際の変形が解けて、注液孔６６より大径となる。なお、接続部８２の上端部は、注液孔６６より大径となるものの、変形により注液孔６６に押し込むことができる程度なので、注液孔６６とほぼ同径ということができる。
【００６１】
単電池１４において、液栓７０の封止後に、液栓７０の本体部７２に注液孔６６よりも大径となる部分（本実施形態では、接続部８２の上端近傍であり、以後、大径部分）が存在する場合、封止部８０を注液孔６６に挿入するに先だって大径部分を注液孔６６に挿入する際に、液栓７０が注液孔６６に対して仮位置決めされたことが解かる。大径部分は、拡張部の一例である。
【００６２】
そして、その大径部分よりも封止部８０側に至る溝７８が設けられていれば、液栓７０が注液孔６６に対して仮位置決めされた状態において、溝７８を介してケース６２の内部と外部が連通していたことが解かる。
【００６３】
（４）上記実施形態では、本体部７２の下端部において、溝７８が本体部７２の前後方向の側壁を貫通するように設けられる例を用いて説明を行ったが、これに限られず、図８に示すように、前後方向及び左右方向の側壁を貫通するように設けられていてもよい。上記実施形態に示したように、前後方向の側壁を貫通する方向にのみ溝７８が設けられると、溝７８の加工に必要なコストを軽減することができる。また、前後方向及び左右方向の側壁を貫通するように溝７８が設けられると、単電池１４内を効率良く減圧することができる。
【００６４】
また、液栓７０が注液孔６６に対して仮位置決めされた状態において、ケース６２の内部と外部とを連通する構造は、溝７８に限られず、図９、１０に示すように、液栓７０の本体部７２の側面に設けられた切りかき１７８であってもよい。切りかき１７８は、本体部７２の側面において、導入部８４の下端部から接続部８２の上端部に至る範囲に設けられており、液栓７０が注液孔６６に対して仮位置決めされた状態において、ケース６２の内部と外部を連通させる。本体部７２の側面に設けられる切りかき１７８は、図９、１０に示すように、本体部７２に単数設けられていてもよければ、複数もうけられていてもよい。また、ケース６２の内部と外部とを連通する構造は、例えば液栓７０の本体部７２に設けられ、本体部７２の側面と底面の間を貫通する貫通孔であってもよい。
【００６５】
（５）上記実施形態では、液栓７０に蓋部７４が設けられている例を用いて説明を行ったが、封止部８０による封止により注液孔６６が精度よく封止される場合には、必ずしも蓋部７４が設けられる必要はない。
【００６６】
（６）上記実施形態では、注液孔６６が円筒形に形成される例を用いて説明を行ったが、これに限られず、図１１に示すように、注液孔６６が、ケース６２の内部に向かって縮径するテーパ形状に設けられていてもよい。この場合、液栓７０の本体部７２は、必ずしも封止部８０、接続部８２、導入部８４の３つの部分で形成される必要はなく、接続部８２はテーパ形状に設けられる必要もない。図１１に示すように、溝７８が形成された１つの円柱状の部材として形成されてもよい。この場合、本体部７２の下端部が注液孔６６の内壁に接触することで、ケース６２の注液孔６６に液栓７０が仮位置決めされる。この液栓７０では、上記の仮位置決めされた状態において、溝７８の上端が注液孔６６の外部に露出するように、溝７８が形成される。
【００６７】
（７）上記実施形態では、液栓７０が注液孔６６に圧入される例を示したが、これに限らず、図１２に示すように、液栓７０が注液孔６６に螺合されても良い。この場合、液栓７０の本体部７２に設けられた溝構造８６のうち、最も下端側に設けられたものが、注液孔６６に設けられた溝構造６６Ｂのうち、最も上端側に設けられたものとかみ合うことで、ケース６２の注液孔６６に液栓７０が仮位置決めされる。この液栓７０では、上記の仮位置決めされた状態において、溝７８の上端が注液孔６６の外部に露出するように、溝７８が形成される。
【００６８】
（８）上記実施形態では、液栓７０に溝７８を設けることによって電池内を減圧する例を示したが、これに限らず、たとえば仮位置決め時に注液孔６６に液栓７０を傾けて配置することによって注液孔６６と液栓７０との間に隙間を形成し、その隙間からケース６２の内部を減圧するようにしてもよい。
【符号の説明】
【００６９】
１４：単電池、３０：製造装置、６２：ケース、６６：注液孔、６８：蓋体、７０：液栓、７２：本体部、７４：蓋部、７８：溝、８０：封止部、８２：接続部、８４：導入部
【図１】
2014002865.tif 000003
【図２】
2014002865.tif 000004
【図３】
2014002865.tif 000005
【図４】
2014002865.tif 000006
【図５】
2014002865.tif 000007
【図６】
2014002865.tif 000008
【図７】
2014002865.tif 000009
【図８】
2014002865.tif 000010
【図９】
2014002865.tif 000011
【図１０】
2014002865.tif 000012
【図１１】
2014002865.tif 000013
【図１２】
2014002865.tif 000014